(57)【要約】      （修正有）【課題】マウスとマウスパッドが一体となり、マウスの移動操作に広い場所を必要としない操作性の優れたマウスパッド一体型マウスを提供する。また、多種多様な外形デザインのマウスパッドが使用できる。【解決手段】マウスバッド一体型マウスは、マウスパッド２とマウス１が一体となり、マウス操作手段において、マウス１、マウスパッド２、歪みセンサハードウェア６、操作ピン３、ピンブロック（障壁）４を構成する。ピンブロック（障壁）４のホール５に操作ピン３を挿入することによって、マウス操作で操作ピン３の操作ができるようになっている。歪みセンサハードウェア６に具備された操作ピン３は、マウスの操作量に応じてピンブロック（障壁）４にあたり、操作ピン３が斜めに曲がることにより、カーソル移動ができる。そして、狭いマウス操作範囲でカーソル移動できることから、マウスパッド２の外形が自由にデザインでき、多種多様な外形デザインのマウスパッド２が可能になる。【選択図】図１
2004259243.tif 000002
【特許請求の範囲】
【請求項１】
マウスパッドとマウスが一体となり、マウス操作手段において、マウス、マウスパッド、歪みセンサハードウェア、操作ピン、ピンブロック（障壁）を構成するマウスパッド一体型マウス。
【請求項２】
請求項１において、歪みセンサハードウェアに具備された操作ピンの操作を、ピンブロック（障壁）のホールに操作ピンを挿入することによって、マウス操作ができる状態になることを特徴とするマウスパッド一体型マウス。
【請求項３】
請求項１、請求項２において、歪みセンサハードウェアに具備された操作ピンは、マウス操作量に応じてピンブロック（障壁）にあたることにより斜めに曲がることによって、カーソル移動ができることを特徴とするマウスパッド一体型マウス。
【請求項４】
請求項１、請求項２、請求項３において、マウスパッドの外形が自由にデザインされているマウスパッドで、マウス操作ができることを特徴とするマウスパッド一体型マウス。
【発明の詳細な説明】
【０００１】
【発明の属する技術分野】本発明は、コンピューター等の情報処理装置に使用されるマウスと同一操作ができる、マウスパッド一体型マウスに関するものである。
【０００２】
【従来の技術】コンピューター等のモニター装置の表示画面上において、カーソル移動ができる操作手段に、歪みセンサハードウェアにロッド、スティック、プッシュスイッチ等の操作部品が取付けられて手の指で押すことによって操作できるようになっているものと、一般的に多く普及している掌をマウスに被せ、マウス操作（移動）することによってカーソル移動ができるようになっているものがある。
【０００３】歪みセンサハードウェアにロッド、スティック、プッシュスイッチ等の操作部品が取付けられたものは、手の指でマウス操作ができるようにしたもので、これらはすべてキーボード又はマウスに歪みセンサハードウェア及び操作部品を上向きに操作場所が固定されたものを、直接人間の手の指のみで操作部分を押すことによって、歪みセンサハードウェアの操作部品が斜めに曲がることにより、狭い操作範囲でカーソル移動させることができるようになっている。そして、マウスのスイッチ部分にあたる操作も手の指で押して行うようになっている。よって、すべての操作を手の指で押してのみで行うようになっている。
【０００４】一般的に多く普及しているマウスには機械式マウス及び光学式マウスがあり、どちらともカーソル移動にはマウスに掌を被せマウスを操作（移動）することによって、モニター装置の表示画面上のカーソル移動させることができるようになっている。そして、マウスのスイッチ部分の操作は手の指で押して行うようになっている。しかし、カーソル移動させるためにはマウス操作の場所がカーソルの移動分だけの広さを必要とする。
【０００５】一般的に多く普及しているマウスの機械式マウス及び光学式マウスに使用しているマウスパッドはマウスとは別になっており、外形デザインは四角形がほとんどである。
【０００６】
【発明が解決しようとする課題】キーボードに取付けてある歪みセンサハードウェア及び操作部品は操作場所が固定されて、操作部品のロッド、スティックによるカーソル移動は手の指で押して行えるようになっている。片手操作でカーソル移動及びマウスのスイッチにあたる操作を実行することは難しく、実行できたとしても指に疲労感を感じ、人によってはキーボード他キーを間違って押すことを誘発することもある。又、プッシュスイッチはカーソル移動の他にマウスのスイッチ機能を設けているが、カーソル移動は手の指で押して行えるようになっている。片手操作を行うことはできても指に疲労感を感じ、人によってはキーボード他キーを間違って押すことを誘発することもある。
【０００７】マウスに取付けてある歪みセンサハードウェア及び操作部品は固定されており、操作部品のロッド、スティックによるカーソル移動及びマウスのスイッチ部分の片手操作はできるが、すべての操作を手の指で押してのみで行い、人によっては指に疲労感を感じる。
【０００８】次に、一般的に多く普及しているマウスの機械式マウス及び光学式マウスは、これらはマウスに掌を被せマウス操作において、カーソル移動しながら、指でマウスのスイッチを押すことができるスタイルになっており、手の役割分担ができて疲れにくく便利ではあるが、カーソル移動するにはマウス操作するのに必要なだけの操作場所の広さが必要になる。また、マウスのカーソル移動設定で狭い距離のマウス操作でカーソルが広く移動できるようにしたとしても、カーソルが敏感に反応するなどしてカーソルの移動が難しくなり疲労感になる。
【０００９】そして、マウスパッドの外形デザインは基本的に四角形がほとんどである。以上説明した、問題点を解決する為の発明である。
【００１０】
【課題を解決するための手段】本発明は、マウスパッド２とマウス１が一体となり、コンピューター等のモニター装置の表示画面上において、カーソル移動を一般的に普及し慣れている人が多いマウス１の機械式マウス及び光学式マウスの操作感覚で、歪みセンサハードウェア６を使用した操作部分の、ロッド、スティック、プッシュスイッチ等の、狭い操作範囲でカーソル移動させることができる操作性を実現するために、直接に手の指で操作部分を押して操作するのではなく、マウスパッド２とマウス１が一体となり、マウス１操作手段において、マウス１、マウスパッド２、歪みセンサハードウェア６、操作ピン３、ピンブロック（障壁）４を構成し、歪みセンサハードウェア６に具備された操作ピン３の操作を、ピンブロック（障壁）４のホール５に操作ピン３を挿入することによって、マウス１操作ができる状態になり、歪みセンサハードウェア６に具備された操作ピン３は、マウス１操作の上下方向及び左右方向及びすべて方向の、操作量に応じてピンブロック（障壁）４にあたることにより斜めに曲がることによって、カーソル移動ができるようになっている。
【００１１】よって、カーソル移動は一般的に多く普及し慣れている人が多い、マウス１に掌を被せマウス１操作が狭い操作範囲で手元をほとんど動作しなくても行えるようになっている。そして、マウス１のスイッチは手の指で押すことから、マウス１操作の片手操作における手の役割分担ができていることによって、疲労感がなく優れた操作性になっている。
【００１２】マウスパッド２はマウス１と一体となっていることにより、上記説明から、狭い操作範囲によるマウス１操作を実現していることにより、マウスパッド２はマウス１操作に必要な外側及び内側領域を確保することによって、外形のデザインが自由に製作されたものが実現可能になっている。例えば、キャラクターデザイン、動物、植物等、多種多様の個性のあるマウスパッド２のデザインと一体となったマウス１操作が楽しめるようになっている。
【００１３】
【発明の実施の形態】本発明の説明を図１、図２を用いて説明する。マウス１に取付けられた歪みセンサハードウェア６は、操作ピン３をマウスパッド２に具備されたピンブロック（障壁）４のホール５に挿入された状態でマウスパッド２上面を間に挟みマウスパッド上面スルーホール９からマウス１に固定している。マウスパッド２とマウス１が一体となっており、マウス１操作において、マウス１に取付けられた歪みセンサハードウェア６に具備された操作ピン３を、マウス１操作で行うことができるように操作ピン３がマウス１操作に連動して移動し、ピンブロック（障壁）４にあたることにより斜めに曲がることによってカーソル移動ができるようになっている。
【００１４】そして、マウスパッド２とマウス１は、マウスパッド２の上面とマウス１の下面が水平に接触した一体となっていることによって、マウス１を上下、左右、すべて方向の色々なマウス１操作を行うことができ、マウスパッド２の上面をマウス１の下面がスライド動作するようになっている。スライド動作をしているときには、マウス１はマウスパッド２から分離することはないようになっている。その結果、カーソル移動を一般的に普及し慣れている人が多いマウス１の機械式マウス及び光学式マウスの操作感覚でできるようになっている。
【００１５】マウス１操作を止めているときは、マウス１に取付けられている歪みセンサハードウェア６に具備された操作ピン３は、マウスパッド２に具備されたピンブロック（障壁）４のホール５に位置し、モニター装置の表示画面上においてカーソル移動はないようになっている。
【００１６】マウス１操作を始めると、マウスパッド２の上面をマウス１の下面がスライド移動し、マウス１の操作に連動して、マウス１に取付けられている歪みセンサハードウェア６に具備された操作ピン３が移動するようになっている。
【００１７】マウス１を上向きに操作した場合は、マウスパッド２に具備されたピンブロック（障壁）４の上側を歪みセンサハードウェア６に具備された操作ピン３があたるようになっている。そして、連動してモニター装置のカーソルも上側へ移動する。マウス１を下向きに操作した場合は、マウスパッド２に具備されたピンブロック（障壁）４の下側を歪みセンサハードウェア６に具備された操作ピン３があたるようになっている。そして、連動してモニター装置のカーソルも下側へ移動する。マウス１を左向きに操作した場合は、マウスパッド２に具備されたピンブロック（障壁）４の左側を歪みセンサハードウェア６に具備された操作ピン３があたるようになっている。そして、連動してモニター装置のカーソルも左側へ移動する。マウス１を右向きに操作した場合は、マウスパッド２に具備されたピンブロック（障壁）４の右側を歪みセンサハードウェア６に具備された操作ピン３があたるようになっている。そして、連動してモニター装置のカーソルも右側へ移動する。このように、マウス１操作に歪みセンサハードウェア６に具備された操作ピン３が連動するようになっており、操作ピン３がマウスパッド２のピンブロック（障壁）４にあたることにより、歪みセンサハードウェア６に具備された操作ピン３が斜めに曲がることによって、モニター装置の表示画面上においてカーソル移動ができるようになっている。
【００１８】よって、カーソル移動は一般的に多く普及し慣れている人が多い、マウス１に掌を被せマウス１操作が狭い操作範囲で手元をほとんど動作することなく行えるようになっている。そして、マウス１のスイッチは手の指で押すことから、マウス１操作の片手操作における手の役割分担ができていることによって、疲労感がなく優れた操作性になっている。
【００１９】以上の説明より、マウス１はマウスパッド２をスライドして移動するようになっており、そして、マウス１操作が狭い操作範囲の移動でモニター装置のカーソル移動できることから、マウス１操作に必要なマウスパッド２の外側及び内側領域を確保することによって、マウスパッド２に多種多様な外形のデザインは全然問題なく自由にデザインすることができる。例図として、図３は星形マウスパッド一体型マウス上面例図、図４はハート形マウスパッド一体型マウス上面例図等の、マウスパッド２でマウス１操作ができるようになっている。
【００２０】
【発明の効果】本発明は、カーソル移動が一般的に普及し慣れている人が多いマウス１の機械式マウス及び光学式マウスの操作感覚において、歪みセンサハードウェア６を使用した狭いマウス１操作範囲でカーソル移動させることができることにより、操作性が優れていることから、疲労感を感じることなく長時間使用できる。
【００２１】マウスパッド２の外形のデザインがキャラクターデザイン、動物、植物等、多種多様なマウスパッド２のデザインでマウス１操作ができることから、小さな子供からお年寄りまで幅広い年齢層でコンピューター操作が楽しめる。
【００２２】狭いマウス１操作範囲を実現していることによって、マウスパッド２の外形デザインの他、マウスパッドカバー等も製作可能になる。例えば、カバー生地に、デニム、スエード、革等でマウスパッド２のカバーができたり、肌アレルギーの人、暑がりの人、寒がりの人等、色々な人々の要望に答えられるマウスパッドカバーが製作できることにより、小さな子供からお年寄りまで幅広い年齢層でコンピューター操作が楽しめる。等の色々な発明の効果がある。
【図面の簡単な説明】
【図１】本発明であるマウスパッド一体型マウスの左側面図である。
【図２】本発明であるマウスパッド一体型マウスの上面図である。
【図３】本発明であるマウスパッド一体型マウスのマウスパッド外形デザイン星形上面例図。
【図４】本発明であるマウスパッド一体型マウスのマウスパッド外形デザインハート形上面例図。
【符号の説明】
１…マウス、２…マウスパッド、３…操作ピン、４…ピンブロック（障壁）、５…ホール、６…歪みセンサハードウェア、７…マウスのスイッチ、８…パソコンへの接続ケーブル、９…マウスパッド上面スルーホール
【図１】
2004259243.tif 000003
【図２】
2004259243.tif 000004
【図３】
2004259243.tif 000005
【図４】
2004259243.tif 000006
【手続補正書】
【提出日】平成15年4月24日(2003.4.24)
【手続補正２】
【補正対象書類名】明細書
【補正対象項目名】請求項２
【補正方法】変更
【補正の内容】
【請求項２】
請求項１において、歪みセンサハードウェアに具備された操作ピンの操作を、ピンブロック（障壁）のホールに操作ピンを挿入している状態によって、マウス操作で操作ピンの操作ができることを特徴とするマウスパッド一体型マウス。
【手続補正３】
【補正対象書類名】明細書
【補正対象項目名】００１０
【補正方法】変更
【補正の内容】
【００１０】
【課題を解決するための手段】本発明は、マウスパッド２とマウス１が一体となり、コンピューター等のモニター装置の表示画面上において、カーソル移動を一般的に普及し慣れている人が多いマウス１の機械式マウス及び光学式マウスの操作感覚で、歪みセンサハードウェア６を使用した操作部分の、ロッド、スティック、プッシュスイッチ等の、狭い操作範囲でカーソル移動させることができる操作性を実現するために、直接に手の指で操作部分を押して操作するのではなく、マウスパッド２とマウス１が一体となり、マウス１操作手段において、マウス１、マウスパッド２、歪みセンサハードウェア６、操作ピン３、ピンブロック（障壁）４を構成し、歪みセンサハードウェア６に具備された操作ピン３の操作を、ピンブロック（障壁）４のホール５に操作ピン３を挿入している状態によって、マウス１操作で操作ピン３の操作ができるようになっている。歪みセンサハードウェア６に具備された操作ピン３は、マウス１操作の上下方向及び左右方向及びすべて方向の、操作量に応じてピンブロック（障壁）４にあたることにより斜めに曲がることによって、カーソル移動ができるようになっている。


【手続補正４】
【補正対象書類名】図面
【補正対象項目名】図１
【補正方法】変更
【補正の内容】
【図１】
2004259243.tif 000007
【手続補正５】
【補正対象書類名】図面
【補正対象項目名】図２
【補正方法】変更
【補正の内容】
【図２】
2004259243.tif 000008